(57)【要約】    【課題】排水性に優れ、しかも砂場や岩場で使用されても良好な排水性が維持される釣り用履き物２の提供。    【解決手段】釣り用履き物２は、アッパー４、インソール３４及びアウトソール１４を備えている。アウトソール１４は、ベース２６、多数のブロック２８及びスパイクピン３０を備えている。ブロック２８の一部はベース２６に埋設されており、残余の部分はベース２６の底面から下方に向けて突出して突出部４１を形成している。ベース２６は、排水孔４２を備えている。排水孔４２は、ベース２６を貫通している。排水孔４２は、隣り合う２つの突出部の間に位置している。この履き物２では、ブロック２８が接地し、排水孔４２の下側開口４６は地面から離間する。２つの突出部４１の間隔Ｗは、２ｍｍ以上１５ｍｍ以下である。突出部４１の突出代Ｌは、１ｍｍ以上２５ｍｍ以下である。【選択図】図５
2006192136.tif 000002
【特許請求の範囲】
【請求項１】
アッパーとアウトソールとを備えており、
このアウトソールが、ベースと、このベースの底面から下方に向けて突出する複数の突出部と、このベースを上下方向に貫通する排水孔を備えており、
この排水孔が、隣り合う２つの突出部の間に位置している釣り用履き物。
【請求項２】
上記排水孔を挟んで位置する２つの突出部の間隔が２ｍｍ以上１５ｍｍ以下である請求項１に記載の釣り用履き物。
【請求項３】
上記排水孔に隣接する突出部のベースからの突出代が１ｍｍ以上２５ｍｍ以下である請求項１又は２に記載の釣り用履き物。
【請求項４】
個々の排水孔の下側開口面積が０．３ｍｍ２以上２０．０ｍｍ２以下である請求項１から３のいずれかに記載の釣り用履き物。
【発明の詳細な説明】
【技術分野】
【０００１】
本発明は、釣り人に着用される履き物に関する。詳細には、本発明は、内部に水が進入する釣り場で用いられる履き物に関する。
【背景技術】
【０００２】
波が高いときの磯釣りでは、海水が足場に達して靴に進入することがある。釣り人が海水を汲み上げてバケツに蓄えるときにも、この海水がこぼれ出して靴に進入することがある。さらに、雨天時の釣りでも、水が靴に進入することがある。靴に水が溜まると、総重量が重くなる。さらに、溜まった水は、靴の着用感を阻害する。靴には、排水性が要求される。
【０００３】
排水性が考慮された釣り用の靴が、下記の非特許文献１に開示されている。この靴は、メッシュ状のアッパーを備えている。この靴はまた、複数の排水孔を備えている。靴に進入した水の大部分は、進入直後に主としてアッパーを通過して排出される。一方、進入後に底に溜まった水は、排水孔から徐々に排出される。底に溜まった水の排出の観点から、排水孔はなるべく靴の下方に形成されるのが好ましい。
【非特許文献１】株式会社シマノ発行「２００４総合カタログ」第１８６頁
【発明の開示】
【発明が解決しようとする課題】
【０００４】
釣りは、砂場や岩場でもなされる。靴で砂や岩が踏まれると、砂や先端が鋭利な岩片が排水孔に進入して残存することがある。残存した砂や岩片は排水孔を塞ぎ、排水性を阻害する。
【０００５】
本発明の目的は、排水性に優れ、しかも砂場や岩場で使用されても良好な排水性が維持される釣り用履き物の提供にある。
【課題を解決するための手段】
【０００６】
本発明に係る釣り用履き物は、アッパーとアウトソールとを備える。このアウトソールは、ベースと、このベースの底面から下方に向けて突出する複数の突出部と、このベースを上下方向に貫通する排水孔を備える。この排水孔は、隣り合う２つの突出部の間に位置する。
【０００７】
好ましくは、排水孔を挟んで位置する２つの突出部の間隔は、２ｍｍ以上１５ｍｍ以下である。好ましくは、排水孔に隣接する突出部のベースからの突出代は、１ｍｍ以上２５ｍｍ以下である。好ましくは、個々の排水孔の下側開口面積は、０．３ｍｍ２以上２０．０ｍｍ２以下である。
【発明の効果】
【０００８】
この釣り用履き物では、排水孔によって優れた排水性が発揮される。排水孔は隣接する突出部の間に位置しており、その下側開口は地面から離れている。この排水孔には、砂、岩片等が進入しにくい。この履き物では、優れた排水性が持続する。
【発明を実施するための最良の形態】
【０００９】
以下、適宜図面が参照されつつ、好ましい実施形態に基づいて本発明が詳細に説明される。
【００１０】
図１は本発明の一実施形態に係る釣り用履き物２が示された正面図であり、図２はその平面図である。図１には、履き物２のアウトサイドが示されている。この履き物２は、アッパー４、ヒールガード６、アウトサイドガード８、インサイドガード１０、紐１２及びアウトソール１４を備えている。図２では、紐１２の図示が省略されている。
【００１１】
アッパー４は、メッシュ状の生地からなる。アッパー４は、透水性である。アッパー４は、ハトメ１６を備えている。このハトメ１６には、紐１２が通されている。アッパー４はまた、フラップ１７も備えている。
【００１２】
ヒールガード６は、アッパー４の踵近傍を覆っている。ヒールガード６は、硬質の合成樹脂からなる。図１に示されるように、ヒールガード６は開口１８を備えている。図２に示されるように、ヒールガード６は左右一対のアーム２０を備えている。アーム２０は、着用者の足首の爪先側にまで延在している。アーム２０は、その先端に貫通孔２２を備えている。
【００１３】
アウトサイドガード８は、アッパー４のアウトサイドを覆っている。アウトサイドガード８は、開口２４を備えている。インサイドガード１０は、アッパー４のインサイドを覆っている。図示されていないが、インサイドガード１０もアウトサイドガード８と同様の開口を備えている。アウトサイドガード８及びインサイドガード１０は、ヒールガード６と同様の硬質樹脂からなる。
【００１４】
図３は、図１の釣り用履き物２が示された底面図である。図３には、右足用の履き物２が示されている。左足用の履き物２は、図３に示された形状が反転された形状を呈する。この履き物２のアウトソール１４は、ベース２６と、多数のブロック２８と、スパイクピン３０とを備えている。ベース２６は、架橋ゴムからなる。ベース２６には、耐摩耗性及び強度に優れたゴムが用いられる。ブロック２８は、硬質樹脂からなる。スパイクピン３０は、金属材料からなる。ベース２６は、その側壁に多数の瘤状突起３２を備えている。この履き物２が岩場で着用されたときは、まず瘤状突起３２が岩と接触する。この瘤状突起３２により、アッパー４と岩との激しい衝突が防止され、アッパー４が岩と激しく擦れ合うことが防止される。換言すれば、この瘤状突起３２はアッパー４を保護する。
【００１５】
図４は図３のIV−IV線に沿った断面図であり、図５は図３のＶ−Ｖ線に沿った断面図である。図４及び図５には、アッパー４及びアウトソール１４と共に、インソール３４が示されている。インソール３４は多孔質であり、通水性を備えている。履き物２が、インソール３４とアウトソール１４との間にミッドソールを備えてもよい。
【００１６】
図４及び図５から明らかなように、スパイクピン３０はフランジ３６、軸３８及び先端部４０からなる。フランジ３６及び軸３８は、ブロック２８に埋設されている。この埋設により、スパイクピン３０がブロック２８に堅固に固定されている。先端部４０は、ブロック２８から下方に突出している。この先端部４０が地面に突き刺さることにより、履き物２のスリップが防止される。
【００１７】
図４及び図５から明らかなように、ブロック２８の一部はベース２６に埋設されている。この埋設により、ブロック２８がベース２６に堅固に固定されている。ブロック２８の残余の部分は、ベース２６の底面から下方に向けて突出しており、突出部４１を形成している。
【００１８】
図４及び図５から明らかなように、ベース２６は５個の排水孔４２を備えている。排水孔４２は上下方向に延びており、ベース２６を貫通している。排水孔４２は、上側開口４４及び下側開口４６を備えている。排水孔４２は、履き物２の排水性を高める。排水孔４２はまた、履き物２の通気性をも高め、蒸れを防止する。
【００１９】
この履き物２の製造では、金型にブロック２８が配置され、さらにこの金型に未架橋ゴム組成物が充填される。ゴム組成物は加熱によって架橋反応を起こし、アウトソール１４が得られる。このアウトソール１４では、ブロック２８の一部がベース２６に埋設されている。一方、アッパー４にヒールガード６、アウトサイドガード８及びインサイドガード１０が接合される。接合は、縫合によって達成される。接合が、接着剤によってなされてもよい。次に、このアッパー４にアウトソール１４が接合される。接合は、接着剤によって達成される。次に、次に、アウトソール１４にインソール３４が積層され、このインソール３４が接着剤によってアウトソール１４に接合されて、履き物２が完成する。
【００２０】
この履き物２が着用されるときは、まず着用者が足を履き物２に入れる。次に、ハトメ１６及びアーム２０の貫通孔２２を通された紐１２が締められて、縛られる。前述のようにアーム２０は足首の爪先側にまで至っているので、紐１２が締められることでアーム２０がアッパー４を着用者の足首に強く押圧する。このとき、アーム２０に働く張力はヒールガード６の全体に及ぶ。この張力により、ヒールガード６の直下のアッパー４は着用者の踵を強く押圧する。足首及び踵の押圧により、履き物２が足にフィットする。釣り場では釣り人が激しい動作を行うこともあるが、足にフィットした履き物２はこの動作を妨げない。ヒールガード６、アウトサイドガード８及びインサイドガード１０は硬質なので、履き物２の安定性に寄与する。さらに、ヒールガード６、アウトサイドガード８及びインサイドガード１０は、アッパー４の保護にも寄与する。
【００２１】
波等によって履き物２に水が進入したときでも、アッパー４がメッシュ状なので水はアッパー４を透過して排出される。排出は、ヒールガード６の開口１８、アウトサイドガード８の開口２４及びインサイドガード１０の開口を通じてもなされる。さらに、インソール３４が多孔質なので、水はこのインソール３４を透過してアウトソール１４に至り、排水孔４２を通じて排水される。排水孔４２は、アッパー４及び開口１８、２４から排出され得ない水をも排出する。この履き物２は、排水性に優れる。釣り人は、踵を上げた姿勢をとることが多く、履き物２の中の水は爪先側に偏在する傾向がある。図３から明らかなように、この履き物２では排水孔４２が土踏まずよりも爪先側に位置している。これにより、水がより確実に排出される。
【００２２】
図５から明らかなように、排水孔４２は隣り合う２つの突出部４１の間に位置している。この履き物２では、ブロック２８が接地する。ブロック２８は、あたかも橋桁の役割を果たすので、排水孔４２の下側開口４６は地面から離間している。この排水孔４２には、砂、岩片等が進入しにくい。この履き物２では、排水孔４２が塞がれて排水性が阻害されることが生じにくい。
【００２３】
図５において両矢印Ｗで示されているのは、排水孔４２を挟んで位置する２つの突出部４１の間隔である。排水孔４２に砂、岩片等が進入しにくいとの観点から、間隔Ｗは１５ｍｍ以下が好ましく、１０ｍｍ以下がより好ましい。排水孔４２の形成の容易の観点から、間隔Ｗは２ｍｍ以上が好ましい。
【００２４】
図５において両矢印Ｌで示されているのは、排水孔４２に隣接する突出部４１のベース２６からの突出代である。突出代Ｌは、下側開口４６と地面との距離でもある。排水孔４２に砂、岩片等が進入しにくいとの観点から、突出代Ｌは１ｍｍ以上が好ましく、２ｍｍ以上がより好ましい。通常は、突出代Ｌは２５ｍｍ以下である。
【００２５】
個々の排水孔４２の下側開口４６の面積は、０．３ｍｍ２以上２０．０ｍｍ２以下が好ましい。面積が０．３ｍｍ２以上に設定されることにより、優れた排水性及び通気性が発揮される。この観点から、面積は０．５ｍｍ２以上がより好ましい。面積が２０．０ｍｍ２以下に設定されることにより、排水孔４２への砂、岩片等の進入が抑制される。この観点から、面積は１２．０ｍｍ２以下がより好ましく、８．０ｍｍ２以下が特に好ましい。
【００２６】
この履き物２では、ブロック２８（すなわち突出部４１）がベース２６の材質とは異なる材質からなるが、ベース２６の材質と同じ材質からなりベース２６と一体に成形された突出部が形成されてもよい。
【産業上の利用可能性】
【００２７】
本発明に係る履き物は、磯、船等の種々の釣り場において利用されうる。本発明に係る履き物が、ウェーダーに装着されてもよい。ブーツ又は地下足袋において、隣り合う２つの突出部の間に位置する排水孔が形成されてもよい。
【図面の簡単な説明】
【００２８】
【図１】図１は、本発明の一実施形態に係る釣り用履き物が示された正面図である。
【図２】図２は、図１の釣り用履き物が示された平面図である。
【図３】図３は、図１の釣り用履き物が示された底面図である。
【図４】図４は、図３のIV−IV線に沿った断面図である。
【図５】図５は、図３のＶ−Ｖ線に沿った断面図である。
【符号の説明】
【００２９】
２・・・釣り用履き物
４・・・アッパー
６・・・ヒールガード
８・・・アウトサイドガード
１０・・・インサイドガード
１４・・・アウトソール
１８、２４・・・開口
２０・・・アーム
２６・・・ベース
２８・・・ブロック
３０・・・スパイクピン
３２・・・瘤状突起
３４・・・インソール
４２・・・排水孔
４４・・・上側開口
４６・・・下側開口
【図１】
2006192136.tif 000003
【図２】
2006192136.tif 000004
【図３】
2006192136.tif 000005
【図４】
2006192136.tif 000006
【図５】
2006192136.tif 000007